(57)【要約】【課題】外側から滲み出しが見えないように隠蔽層を施した紙を主体とする包装材料及びこの包装材料を用いた容器を提供すること。【解決手段】油性の内容物を包装する紙を主体とした包装材料において、包装材料（１０）の外側になる紙面（１１）に黒色の顔料、染料、又は、アルミペーストの少なくとも１種類を含む隠蔽層（１２）を設け、さらにその上に白色の顔料、無機鉱物を含む白色層（１３）を設けた。白色層（１３）は印刷インキにより設けると良いし、紙（１１）の耐油度をＴＡＰＰＩのキッド法で６級以下とすると良い。【選択図】図１
2004136917.tif 000002
【特許請求の範囲】
【請求項１】
油性の内容物を包装する紙を主体とする包装材料において、
包装材料の外側になる紙面に黒色の顔料、染料、又は、アルミペーストの少なくとも１種類を含む隠蔽層を設け、さらにその上に白色の顔料、無機鉱物を含む白色層を設けたことを特徴とする、紙を主体とする包装材料。
【請求項２】
前記黒色の顔料、染料、又は、アルミペーストの少なくとも１種類を含む隠蔽層及び／又は白色の顔料、無機鉱物を含む白色層が印刷インキにより設けられたことを特徴とする、請求項１記載の紙を主体とする包装材料。
【請求項３】
前記包装材料の内側になる紙面の耐油度がＴＡＰＰＩのキット法で６級以下であることを特徴とする、請求項１又は２記載の紙を主体とする包装材料。
【請求項４】
前記紙が坪量が１００〜５００ｇ／ｍ２　のコート紙又はノーコート紙であることを特徴とする、請求項１、２又は３記載の紙を主体とする包装材料。
【請求項５】
請求項１ないし４のいずれか１項に記載の紙を主体とする包装材料を、紙が内表面を形成するようにした容器。
【発明の詳細な説明】
【０００１】
【発明の属する技術分野】
本発明は、油分の多い食品等を包装する紙を主体とする包装材料に関し、特に隠蔽層を形成して滲んだ油分を隠蔽して外側から滲み等の見えない外観を有する紙を主体とする包装材料と該包装材料を用いた容器に関する。
【０００２】
【従来の技術】
従来、ファーストフード店やコンビニエンスストア等で販売している揚げたてのコロッケやフライドチキン等、油分や水分（水蒸気）を放出する食品を包む包装材料に一般紙を用いると、食品に含まれる油分や水分（水蒸気）が紙の各層を透過して紙の内側から外側に滲み出してしまい、容器が汚れたり、その容器に触れた、例えば、手や衣服までも汚れてしまうことがある。
【０００３】
このため、▲１▼耐油性を有するパーフルオロカーボン等のフッ素系界面活性剤等を紙の抄造時に内添したり、サイズプレス等の方法で紙の表面にコーティングしたりして紙に耐油性を付与する、▲２▼耐油性、耐水性を有するポリエチレン等のプラスチック樹脂層を紙の表面に積層する、あるいは、紙の中間層に挟む、等の処理を施した用紙を包装材料として用いていた。
【０００４】
ところがこれらの耐油性や耐水性の付与策は、昨今のフッ素系薬剤の生産中止に伴うフッ素系耐油紙の供給不足や、新たな樹脂層を設けるので樹脂層がバリア層となって通気性が悪くなる、用紙のリサイクルも困難でコスト高になる、等の問題が発生している。
【０００５】
【発明が解決しようとする課題】
本発明は、用紙に耐油性を付与した耐油紙に関する以上のような問題に鑑みてなされたもので、紙に外側から滲み出しが見えないように隠蔽層を施した紙を主体とする包装材料及びこの包装材料を用いた容器を提供することを課題とする。
【０００６】
【課題を解決するための手段】
本発明の請求項１の発明は、油性の内容物を包装する紙を主体とした包装材料において、包装材料の外側になる紙面に黒色の顔料、染料、又は、アルミペーストの少なくとも１種類を含む隠蔽層を設け、さらにその上に白色の顔料、無機鉱物を含む白色層を設けたことを特徴とする、紙を主体とする包装材料である。
【０００７】
このように請求項１記載の発明によれば、包装材料の外側になる紙面に黒色の顔料、染料、又は、アルミペーストの少なくとも１種類を含む隠蔽層を設け、さらにその上に白色の顔料、無機鉱物を含む白色層を設けたので、包装材料の外側から油滲みが見えることはない。
【０００８】
また、請求項２の発明は、請求項１の発明において、前記黒色の顔料、染料、又は、アルミペーストの少なくとも１種類を含む隠蔽層及び／又は白色の顔料、無機鉱物を含む白色層が印刷インキにより設けられたことを特徴とする、紙を主体とする包装材料である。
【０００９】
このように請求項２記載の発明によれば、黒色の顔料、染料、又は、アルミペーストの少なくとも１種類を含む隠蔽層及び／又は白色の顔料、無機鉱物を含む白色層が印刷インキにより設けられるので、紙の表面に隠蔽層や白色層を容易に形成することができる。
【００１０】
また、請求項３の発明は、請求項１又は２の発明において、前記包装材料の内側になる紙の耐油度がＴＡＰＰＩのキット法で６級以下であることを特徴とする、紙を主体とする包装材料である。
【００１１】
このように請求項３記載の発明によれば、包装材料の内側になる紙の耐油度がＴＡＰＰＩのキッド法で６級以下であるので、油分が多い食品を包装した時、油分が紙面に吸収されて容器内に油滴がたまってしまうことがない。
【００１２】
また、請求項４の発明は、請求項１、２又は３の発明において、前記紙が坪量が１００〜５００ｇ／ｍ２　のコート紙又はノーコート紙であることを特徴とする、紙を主体とする包装材料である。
【００１３】
このように請求項４記載の発明によれば、使用する紙は坪量が１００〜５００ｇ／ｍ２　のコート紙又はノーコート紙であるので、包装材料を紙箱にした場合には剛性があり、扱い易い。
【００１４】
また、請求項５の発明は、請求項１ないし４のいずれか１項に記載の紙を主体とする包装材料を、紙が内表面を形成するようにした容器である。
【００１５】
【発明の実施の形態】
本発明の紙を主体とした包装材料を一実施形態に基づいて以下に詳細に説明する。
本発明の紙を主体とした包装材料（１０）は、例えば、図１に示すように、包装材料の外側になる紙（１１）に隠蔽層（１２）を設け、さらにその上に白色層（１３）を設けた構成からなる。
【００１６】
紙（１１）は、包装材料の基材で坪量が１００〜５００ｇ／ｍ２　程度のコートボール又はノーコートボールが好ましく使用できる。
耐油度がＴＡＰＰＩのキット法で６級以下であることが好ましい。
【００１７】
紙の上に形成される隠蔽層（１２）は黒色の顔料、染料、又はアルミニウムペーストの少なくとも１種類を含む層から形成され、印刷インキにより形成されると作業が容易で好ましい。
【００１８】
隠蔽層（１２）の上に形成される白色層（１３）は白色の顔料とカオリン、タルク等の無機鉱物を含む層から形成され、印刷インキにより形成されると作業が容易で好ましい。
【００１９】
必要に応じて白色層（１３）の上に印刷層（１４）を設けることができる。
【００２０】
このようにして作製した紙を主体とする包装材料（１０）で紙（１１）が内表面を形成するようにして、図２に示す箱状の容器（２０）を作製し、内部に揚げたてのコロッケを収納して油の滲み状態を観察したが、滲んだ油は黒色の隠蔽層が紙の滲みを隠蔽して印刷面を通して外観に変化はなかった。
紙を主体とする包装材料（１０）を箱状の容器として使用する以外に、包装紙として使用しても構わない。
【００２１】
【発明の効果】
上記のように、本発明の紙を主体とする包装材料は、外側の白色層の下に黒色の隠蔽層を設けた構成からなるので、ドーナツ、コロッケ等の油分の多い食品を包装しても、化学雑巾のようなトイレタリー用品を包装しても油滲みが外側から見えないので見栄えが良い。
また、ポリエチレン等のプラスチックの被膜を有していないので水蒸気の透過が良く、結露することがない。
【図面の簡単な説明】
【図１】本発明の包装材料の一実施例を示す、断面説明図である。
【図２】本発明の容器の一実施例を示す、斜視説明図である。
【符号の説明】
１０‥‥紙を主体とする包装材料
１１‥‥紙
１２‥‥隠蔽層
１３‥‥白色層
１４‥‥印刷層
２０‥‥容器
【図１】
2004136917.tif 000003
【図２】
2004136917.tif 000004